(57)【要約】【課題】  従来の、複数の人が水糸に係わって所作し、かつ複数の人の目で確認所作し、平坦を確認、修正等をする手段として、従来技術と、文献で挙げた構造では不可能と考えられる。【解決手段】  スタッフを立設できる支持台は、スタッフを受入れる受け部を形成するとともに、受け部の後側に、ゴム製の水糸を張装かつ取付けできる係止手段を突出形成し、係止手段を用いて、水糸を、支持台のスタッフのスケール面に添接後に、所定の水平位置に係止可能としたスタッフ用支持台の構造と、スタッフ用支持台を利用した水糸の張装方法である。水糸の張装で、水平かつ均等な厚みの土砂の素材基礎施工と、コンクリート又はアスファルトの厚みの基層施工ができる。作業者の健康管理と、疾病等発生回避に有益である。【選択図】      図１０−１
2020169480.tif 000002
【特許請求の範囲】
【請求項１】
スタッフを立設できる支持台は、このスタッフを受入れる受け部を形成するとともに、この受け部の後側に庇部を形成し、この庇部に、その外側から中心に向かってゴム製の水糸を張装、かつ取付けできる対の係止手段を形成し、この対の係止手段は、同じ高さ位置に形成し、前記水糸を、前記支持台に立設したスタッフのスケール面に添接し、この添設後に前記対の係止手段の何れか一つに係止し、前記水糸を、所定の水平位置に取付け可能としたスタッフ用支持台の構造。
【請求項２】
スタッフを立設できる支持台は、このスタッフを受入れる受け部を形成するとともに、この受け部の後側に突出形成した、ゴム製の水糸を張装、かつ取付けできる係止手段を形成し、前記水糸を、前記支持台に立設したスタッフのスケール面に添接し、この添設後に前記係止手段に係止し、前記水糸を、所定の水平位置に係止可能としたスタッフ用支持台の構造。
【請求項３】
前記係止手段は、導入部と、この導入部に続く掛止部で構成されている請求項１、又は請求項２に記載のスタッフ用支持台の構造。
【請求項４】
前記係止手段は、前記水糸が張装状態で係止できるように、前記掛止部が前記導入部より、大きな孔径である請求項３に記載のスタッフ用支持台の構造。
【請求項５】
前記支持台は、少なくとも、三人使用の三本の第１〜第３スタッフの端の前記第３スタッフを立設するものであって、かつ前記水糸の終端を止めるためのものである請求項１、又は請求項２に記載のスタッフ用支持台の構造。
【請求項６】
道路設置用（道路用）、又はブロック施工用、或いは庭施工用の何れかの工事において、
一方の端に（第１の人手により）立設した第１スタッフに、ゴム製の水糸を捲装、又は結び目を係止し、この水糸を中間に（第２の人手により）立設した第２スタッフに添接し、他方の端に（第３の人手により、及び／又は、自立により）立設した第３スタッフを、請求項１又は請求項２に記載の支持台にセットし、かつ前記水糸を張装する際に、第３の人手を介して、前記支持台に備えた係止手段に差込み係止し、前記何れかの工事において、水糸の張装を確保することを特徴とするスタッフ用支持台を利用した水糸の張装方法。
【請求項７】
請求項３に記載の係止手段は、前記水糸が張装状態で係止できるように、前記掛止部が前記導入部より、大きな孔径である請求項６に記載のスタッフ用支持台を利用した水糸の張装方法。
【発明の詳細な説明】
【技術分野】
【０００１】
本発明は、スタッフ用支持台の構造と、このスタッフ用支持台を利用した水糸の張装方法に関する。
【背景技術】
【０００２】
道路設置用（道路用）、又はブロック施工用、或いは庭施工用の何れかの工事の施工に当たっては、設計指図書に示す形状寸法に合格するように、出来形を管理する。例えば、一般に道路舗装の場合には、基準高さ、幅、延長、平坦性等について管理を行うが、その際に必要なことは、各工程の路面の平坦である。この平坦を確認、修正等をする手段として、スタッフ、水糸（弾性ゴム糸）等の器具（道具）がある。
【０００３】
この器具を有効利用し、簡易にする方法は、例えば、図面の図１４−１〜図１４−３に示した一例がある。即ち、道路設置用（道路用）の工事において、第１の人が、第１スタッフを保持し、これを道路の一方の端に立設し、かつ水糸の環（輪っか）を、第１スタッフの上から被嵌（輪投げのように）係止する。この際に、第１の人は、この第１スタッフを保持し、併せて、スタッフの表面スケール数値に水糸を保持する。次に、第２の人は、同じように、第２スタッフを保持し、かつこれを道路の中央に立設する。この第２の人は、この第２スタッフを保持し、併せて、スタッフの表面スケール数値に、第１スタッフから延長した水糸を添設する（被嵌も有り得る）。そして、第３の人は、道路の他方の端に第３スタッフを立設し、かつ道路の端に立設した杭（釘針杭）に、第２スタッフから延長した水糸の環（一個又は複数個）、或いは水糸の端を、杭の丁張りと杭の隙間に差込み支持する（被嵌も有り得る）。この差込み支持の際に、図１４−２の如く、第３の人が、水糸を手に二重捲きし、かつ緊張した状態で保持し、水糸を係止するために、通常は、差込み支持する。この差込みは、図１４−２・図１４−３の如く、丁張りの隙間を探し、この隙間に水糸を差込み支持する。図１４−２・図１４−３のようになるが、この差込み等の作業は手に負担をかけることと、作業環境が劣悪の際には、更に厄介なことであって、解決すべき問題である。
【０００４】
そして、前述の図１４−２・図１４−３の如く、即ち、水糸を、手のひらに二重捲きし、かつ緊張した状態で保持することは、第３の人の手に圧迫感を与え、場合により、しびれる等の疾病、又は負担、及び／又は、疲労を与えることになる。本発明者も経験する処であり、問題の解決策が要望されていると考えられる。
【０００５】
また、この第３の人の手への疾病、又は負担軽減と、この種の作業の効率化、或いは、場合により、疾病等発生回避が要望されているのが現況と考えられる。
【０００６】
これに鑑み、本発明は、例えば、図１〜図１３に示した、「スタッフ用支持台の構造と、スタッフ用支持台を利用した水糸の張装方法」を提供し、前述の問題をなくすことを意図する。
【０００７】
また、本発明の構造と張装方法を提案するに際し、先行文献を調査した結果を、以下に説明する。
【０００８】
第１は、スタッフに糸掛け部を設けた構成として、実用新案登録第３１５４３２９号の考案がある。領域に複数本設けた杭と、この杭にそれぞれ設けたスタッフを保持するスタッフホルダーと、このスタッフホルダーに設けた水掛け部（切欠き部）を備える取付具と、水掛け部は、取付具の辺部に設けた構造であり、水掛け部に水糸を係止可能とする。スタッフと取付具は、十文字の配置で、スタッフの上下動で、取付具に設けた水糸を所定の水準位置にセットすることにある。従って、複数の人が、水糸に係わって所作し、かつ複数の人の目で確認所作し、平坦を確認、修正等をする手段としては不向きである。
【０００９】
その他、スタッフに関する文献として、幾つか挙げられる。しかし、具体的に、関連がある記述は見当たらなかった。
【特許文献１】実用新案登録第３１５４３２９号
【発明の概要】
【発明が解決しようとする課題】
【００１０】
前述した如く、従来の、複数の人が水糸に係わって所作し、かつ複数の人の目で確認所作し、平坦を確認、修正等をする手段、或いは前述した、例えば、第３の人の手への疾病、又は負担軽減と、この種の作業の効率化、或いは、場合により、疾病等発生回避が要望されているのが現況と考えられる。
【００１１】
しかしながら、従来技術と、文献１では不可能と考えられる。
【課題を解決するための手段】
【００１２】
上記に鑑み、本発明は、複数の人が、水糸に係わって所作し、かつ複数の人の目で確認所作し、確実、かつ容易に水糸をセットできるスタッフ用支持台と、このスタッフ用支持台を利用した水糸の張装方法の提供であり、請求項１−７の開示である。
【発明の効果】
【００１３】
請求項１の発明は、スタッフを立設できる支持台は、スタッフを受入れる受け部を形成するとともに、受け部の後側に庇部を形成し、庇部に、外側から中心に向かってゴム製の水糸を張装、かつ取付けできる対の係止手段を形成し、対の係止手段は、同じ高さ位置に形成し、水糸を、支持台に立設したスタッフのスケール面に添接し、添設後に対の係止手段の何れか一つに係止し、水糸を、所定の水平位置に取付け可能としたスタッフ用支持台の構造である。
【００１４】
請求項２の発明は、スタッフを立設できる支持台は、スタッフを受入れる受け部を形成するとともに、受け部の後側に突出形成した、ゴム製の水糸を張装、かつ取付けできる係止手段を形成し、水糸を、支持台に立設したスタッフのスケール面に添接し、添設後に係止手段に係止し、水糸を、所定の水平位置に係止可能としたスタッフ用支持台の構造である。
【００１５】
従って、請求項１、又は請求項２では、スタッフと、その支持台を介して、例えば、複数の人が、水糸に係わって所作し、かつ複数の人の目で確認所作し、確実、かつ容易に水糸をセットできる。また、水糸の張装で、水平、かつ均等な厚み（所定厚み）の土砂等の素材基礎施工と、コンクリート、又はアスファルト等の所定の厚みの基層施工ができる。さらに、作業者（人）の健康管理と、疾病等発生回避に有益である。
【００１６】
請求項３の発明は、係止手段は、導入部と、導入部に続く掛止部で構成されているスタッフ用支持台の構造である。
【００１７】
従って、請求項３では、請求項１、又は請求項２の目的、かつ特徴の達成と、最適な係止手段の構造を提供できる。
【００１８】
請求項４の発明は、係止手段は、水糸が張装状態で係止できるように、掛止部が導入部より、大きな孔径であるスタッフ用支持台の構造である。
【００１９】
従って、請求項４では、請求項１、又は請求項２の目的、かつ特徴の達成と、最適な係止手段の構造を提供できる。
【００２０】
請求項５の発明は、支持台は、少なくとも、三人使用の三本の第１〜第３スタッフの端の第３スタッフを立設するものであって、かつ水糸の終端を止めるためのものであるスタッフ用支持台の構造である。
【００２１】
従って、請求項５では、請求項１、又は請求項２の目的、かつ特徴の達成と、支持台を利用するに最適な第３スタッフを選択できる利点がある。
【００２２】
請求項６の発明は、道路設置用（道路用）、又はブロック施工用、或いは庭施工用の何れかの工事において、
一方の端に（第１の人手により）立設した第１スタッフに、ゴム製の水糸を捲装し、又は結び目を係止し、水糸を中間に（第２の人手により）立設した第２スタッフに添接し、他方の端に（第３の人手により、及び／又は、自立により）立設した第３スタッフを、請求項１又は請求項２に記載の支持台にセットし、かつ水糸を張装する際に、第３の人手を介して、支持台に備えた係止手段に差込み係止し、何れかの工事において、水糸の張装を確保することを特徴とするスタッフ用支持台を利用した水糸の張装方法である。
【００２３】
従って、請求項６では、請求項１、又は請求項２の目的、かつ特徴の達成に、最適なスタッフ用支持台を利用した水糸の張装方法を提供できる。
【００２４】
請求項７の発明は、請求項３に記載の係止手段は、水糸が張装状態で係止できるように、掛止部が導入部より、大きな孔径である請求項６に記載のスタッフ用支持台を利用した水糸の張装方法である。
【００２５】
従って、請求項７では、請求項６の目的、かつ特徴の達成に、最適な、水糸係止用の係止手段を提供できる。
【図面の簡単な説明】
【００２６】
【図１】支持台の正面俯瞰図
【図２】支持台の背面俯瞰図
【図３】支持台に何れかのスタッフを挿入した状態の要部の正面俯瞰図
【図４】支持台に何れかのスタッフを挿入した状態の要部の背面俯瞰図
【図５】支持台に第３スタッフを挿入し、水糸が、第３スタッフの裏面に添設し、かつ係止手段に係止された状態の正面俯瞰図
【図６】支持台に第３スタッフを挿入し、水糸が、第３スタッフの裏面に添設し、かつ係止手段に係止された状態の背面俯瞰図
【図７】（イ）〜（二）は、庇部に形成した係止手段の好ましい、各例を説明した模式図
【図８】他の支持台の正面俯瞰図であり、（イ）は、支持台に直付けした係止手段、（ロ）は、支持台に直付けした他の係止手段、（ハ）は、支持台に着脱自在に設けた別の係止手段
【図９】図８の支持台に係止手段を取付けた側面図であり、（イ）は、支持台に磁石で取付けた係止手段、（ロ）は、支持台に止め具（ビス）で取付けた他の係止手段、（ハ）は、支持台に差込み式で取付けた別の係止手段
【図１０−１】水糸の一端に支持台を設けた場合の、支持台と、水糸、及び複数のスタッフ・人の関係を示した縮尺俯瞰図
【図１０−２】水糸の両端に支持台を設けた場合の、支持台と、水糸、及び複数のスタッフ・人の関係を示した縮尺俯瞰図
【図１１−１】道路工事においてスタッフを利用して施工する状態の模式図であり、砂利を施工する寸法の確認作業
【図１１−２】道路工事においてスタッフを利用して施工する状態の模式図であり、砂利の施工の良否を確認する作業
【図１１−３】道路工事においてスタッフを利用して施工する状態の模式図であり、アスファルトを施工する寸法の確認作業
【図１１−４】道路工事においてスタッフを利用して施工する状態の模式図であり、アスファルトの施工の良否を確認する作業
【図１２−１】スタッフを利用して仮寸法を確定する状況の説明図であり、道路の傾斜を測定しており、側溝である
【図１２−２】スタッフを利用して仮寸法を確定する状況の説明図であり、道路の傾斜を測定しており、中央である
【図１３】支持台の別の一例を示した正面俯瞰図
【図１４−１】従来の丁張りと、水糸、及び複数のスタッフ・人の関係を示した縮尺俯瞰図
【図１４−２】図１４−１に示した丁張りと、水糸の関係を示した要部の正面俯瞰図
【図１４−３】図１４−２の裏面俯瞰図
【発明を実施するための形態】
【００２７】
以下、本発明の、好ましい、一実施例を説明する。
【００２８】
請求項１に関しては、図１〜図７を基に説明する。スタッフ２の支持台１は、スタッフ２を受けるための受け部１００と水糸３を係止するための係止部１０１を有する。受け部１００は、平面視して（立設状態で）偏平形状のＣチャン（Ｃ型鋼）Ａ、Ａ１を一組とし、この一組のＣチャンＡ、Ａ１を、背中１００ａ、１００ｂ合わせに形成するとともに、両対峙側（背中の反対側）には開口部１００ｃ、１００ｄを備えた構造である。そして、図１の如く、受け部１００の一方の空間１００−１（ＣチャンＡ１の空間）には、後述するスタッフ２が差込み係止される。また、受け部１００の他方の空間１００−２（ＣチャンＡの空間）には、後述する庇部１０２でなる係止部１０１が設けられる。以下、一方の空間１００−１に設ける（差込み支持する）スタッフ２と、空間１００−２に設ける庇部１０２について説明する。
【００２９】
前記ＣチャンＡの立上部Ａｂの開口部１００ｃ側を、内側に向かって折曲げた対の前側１００ａ１には、適宜箇所に庇部１０２を突出し形成し、係止部１０１とする。この一例では、庇部１０２の上面は、望ましくは、ＣチャンＡの上面に面一に形成することで、形成し易くすること、又は後述する係止手段１０３を視認し易くすることと、水糸３の挿入係止を容易とする。そして、庇部１０２の左右端部（符号なし）には、それぞれ係止手段１０３、１０３が、中心方向Ｑに向かって形成されている。係止手段１０３は、差入れ側が導入部１０３ａで、導入部１０３ａから続く掛止部１０３ｂは中心方向Ｑに向かって形成される。それが為、例えば、ゴム製の水糸３を緊張（伸ば）して差入れる際に、スムーズに差入れ可能とすることと、水糸３の摩耗等の問題発生を防ぐ構造である。そして、図７（イ）〜（二）は、係止手段１０３の好ましい、各一例であり、これらを説明すると、（イ）は、導入部１０３ａが長孔で、掛止部１０３ｂが大小の環状孔（半截円弧の組合せ）とする。この一例では、長孔の導入部１０３ａより差入れて、環状孔の掛止部１０３ｂに差込み固定する構造である。環状孔は、中心方向Ｑに向かって、大小とする（他の例も同じ）。水糸３の伸長を有効利用し、かつ抜け防止が図れる。（ロ）は、前記（イ）と同じ形態であり、掛止部１０３ｂの環状孔を、中心方向Ｑに向かって小大とする形態である。この環状孔の小大の効果等は、（イ）と同じであるが、水糸３の抜け防止は（イ）の効果より優れている。また、（ハ）は、導入部１０３ａは均等の長孔で、掛止部１０３ｂが鋸形状のギザギザ孔であり、原則として、同じギザギザとするが、限定されない。例えば、順に、中心方向Ｑに向かって、幅狭とか、幅広とする構造も有り得る（他の例も同じ）。その特徴と効果は前述の各例に準ずる。さらに、（ニ）の例は、導入部１０３ａは均等の長孔で、掛止部１０３ｂを徐々に広幅形態にした一例であり、原則として、中心方向Ｑに向かって、幅広とするが、限定されない。例えば、中心方向Ｑに向かって、幅狭とか、均等とする構造も有り得る（他の例も同じ）。その特徴と効果は前述（ロ）の例、又は他の例に準ずる。
【００３０】
続いて、図１０−１に示した一例を基に、本発明で提案する支持台１と、スタッフ２等を利用して、水糸３を張装する一例を説明する。
【００３１】
最初に、道路Ｒの何れか一方Ｒ１（端）に、第１のスタッフ２を第１の人Ｈ１が手で把持し、かつ水糸３の環３００を、第１のスタッフ２の表面２ａの所定の数値に合わせて捲装する（被嵌も有り得る）。（この数値合わせは、後で、第２のスタッフ２、及び／又は、第３のスタッフ２と、総合的に修正することも有り得る。以下同じ）。この所作を、第１工程とする。
【００３２】
続いて、道路Ｒの中心Ｒ２（近傍も有り得る。）に第２のスタッフ２を第２の人Ｈ２が手で把持し、かつ水糸３の所定の処を、第２のスタッフ２の表面２ａの所定の数値に捲装する（前回の後での修正も有り得る）。この所作を、第２工程とする。
【００３３】
そして、最後に、道路Ｒの他方Ｒ３（端）に第３のスタッフ２を第３の人Ｈ３が手で把持し、かつ水糸３の所定の端等を、第３のスタッフ２の裏面２ｂから表面２ａに回し、さらに庇部１０２に至らしめる。その後、裏面２ｂの数値に合わせた状態で、水糸３を伸ばしながら（伸長しながら）係止手段１０３の導入部１０３ａに差込み（被嵌も有り得る）、かつ掛止部１０３ｂに係止、かつ固止する。この所作を、第３工程とする。
【００３４】
前述したように、第１工程〜第３工程を終了し、第１のスタッフ〜第３のスタッフの数値に、水糸３が添設されていれば、終了であり、記録ボードを立設して記録する（例えば、写真で記録し、保存する）。前記所作で、水糸３が水平に張装されていない場合、及び／又は、それぞれの数値に違い等があれば、施工路面ＧＬ１が平坦でないことから、修理が必要となる。
【００３５】
尚、図１０−２は、第１のスタッフ２と、第３のスタッフ２に、それぞれ支持台１を利用した場合の一例である。この場合の手順は、道路Ｒの一方Ｒ１（端）に第１のスタッフ２を第１の人Ｈ１が手で把持し、かつ水糸３の所定の端等を、第１のスタッフ２の裏面２ｂから表面２ａに回し、さらに庇部１０２に至らしめる。その後、裏面２ｂの数値に合わせた状態で、水糸３を伸ばしながら（伸長しながら）係止手段１０３の導入部１０３ａに差込み（被嵌も有り得る）、かつ掛止部１０３ｂに係止、かつ固止する。この所作を、第１工程とする。これに続く第２、第３工程及びその後の手順等は、図１０−１の一例に準ずる。
【００３６】
尚、図示しないが、場合により、第１のスタッフ２と、第２のスタッフ２等の各スタッフ２に、それぞれ支持台１等を利用することも有り得る。その利点は、例えば、正確性と利便性である。
【００３７】
また、水糸３を取り外す場合には、前述の張装の逆であるが、一例として説明する。例えば、先ず、第２の人Ｈ２による水糸３からの第２のスタッフ２の取り外し、及び／又は、第３の人Ｈ３による第３のスタッフ２の係止手段１０３からの水糸３の脱抜、及び／又は、支持台１からの第３のスタッフ２の引き抜きで、水糸３は第２のスタッフ２と第３のスタッフ２からフリーとなる。水糸３の張装がなくなり、併せて、フリーとなる。そこで、第１の人Ｈ１は、第１のスタッフ２を取り外し、及び／又は、水糸３の環３００を、第１のスタッフ２から離間する。続いて、第１のスタッフ２を整理することで、この施工路面ＧＬ１に関する全ての作業は完了する。
【００３８】
また、図示しないが、その他の施工路面とか、道路の表面路面の平坦検査も、前述の説明と同様である。
【００３９】
以上の本発明では、従来問題となっていた、作業者（第１の人Ｈ１〜第３の人Ｈ３）の健康管理と、疾病等発生回避に有益である。
【００４０】
また、請求項２に関しては、図８、図９を基に説明すると、支持台１は、ＣチャンＡでなる受け部１００と、板材Ａ２の組み合わせであり、平面視して（立設状態で）偏平形状のＣチャン（Ｃ型鋼）Ａと、板材Ａ２を一組とし、このＣチャンＡと、板材Ａ２を、背中合わせに形成するとともに、ＣチャンＡの対峙側（背中１００ａの反対側）には開口部１００ｃを備えた構造である。そして、支持台１を施工路面ＧＬ１に設置、又は固止して用いる。また、ＣチャンＡの空間１００−２には、スタッフ２が差込み支持される。
【００４１】
前記板材Ａ２の前側Ａ２ａには、掛止部１０３ｂ（スリットか、係止突起）を備えた係止手段１０３を、水平方向Ｙに向かって横設する。この掛止部１０３ｂへの水糸３の挿入係止を容易とする目的で、例えば、係止手段１０３は、差入れ側が導入部１０３ａとなっており、この導入部１０３ａに掛止部１０３ｂが繋がる構造である。それが為、例えば、ゴム製の水糸３を緊張（伸ば）して差入れる際に、スムーズに差入れ可能となり、かつ水糸３の摩耗等の問題発生を無くし得る。そして、図８（イ）〜（ハ）は、係止手段１０３の好ましい、各一例であり、これらを説明すると、（イ）は、板材Ａ２に直付けした導入部１０３ａと掛止部１０３ｂを備えた二股係止形態を、（ロ）は、板材Ａ２に直付けした導入部１０３ａと掛止部１０３ｂ（突起）を備えた形態を、（ハ）は、板材Ａ２に着脱自在に設けた（イ）に準じた形態を示す。この例における特徴と効果は、前述の図７に準ずる。
【００４２】
図９（イ）〜（ハ）は、図８の板材Ａ２に係止手段１０３を取付ける、好ましい取付方法の各一例であり、これらを説明すると、（イ）は磁石を用いた取付方法、（ロ）はビスを用いた取付方法、（ハ）はレールを用いた着脱自在の取付方法を示す。
【００４３】
尚、支持台１と、第１〜第３のスタッフ２等、及び水糸３との関係と使用等は、前述の図１０−１、図１０−２等に準ずる。
【００４４】
図１１−１〜図１１−４は、道路工事において第１〜第４のスタッフ２等を利用して施工する状態の模式図であり、図１１−１は、例えば、第４のスタッフ２で、砂利を施工する寸法の確認作業、図１１−２は、砂利の施工の良否を確認する作業、図１１−３は、例えば、第４のスタッフ２で、アスファルトを施工する寸法の確認する作業、図１１−４は、アスファルトの施工の良否を確認する作業を、それぞれ示してあるが、一例である。
【００４５】
また、図１２−１〜図１２−２は、第５のスタッフ２を利用して仮寸法を確定する状況の説明図であり、道路Ｒの傾斜を測定しており、図１２−１は、側溝近辺（他方Ｒ３）であり、水糸３より１００ｍｍ下がったことを確認する作業であり、また、図１２−２は、道路Ｒの中央Ｒ２であり、水糸３より５０ｍｍ下がったことを確認する作業であり、仮寸法を基準として取り決める。また、道路の施工を図る。
【００４６】
図１３は、支持台１を、Ｌ字形の支持ベース１０４と、受け部１００を組み合わせて構成した一例である。受け部１００の構成は図１に準ずる。ＣチャンＡの空間１００−２に、支持ベース１０４の立上部１０４ａが差込み係止される。この立上部１０４ａのＣチャンＡの空間１００−２への差込み係止と、支持ベース１０４のベース部１０４ｂの施工路面ＧＬ１への設置で、支持台１が、施工路面ＧＬ１に確実に設置、又は固止されるが、一例であり、これに限定されない。
【００４７】
図１４−１〜図１４−３に示した従来の施工における第３の人Ｈ３の手における水糸３の捲装では、水糸３による手への圧迫と、疾病等発生の恐れがあり、これが現実の改良点である。
【００４８】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【符号の説明】
【００４９】
１  支持台
１００  受け部
１００ａ  背中
１００ａ１  前側
１００ｂ  背中
１００ｃ  開口部
１００ｄ  開口部
１００−１  空間
１００−２  空間
１０１  係止部
１０２  庇部
１０３  係止手段
１０３ａ  導入部
１０３ｂ  掛止部
２  スタッフ
２ａ  表面
２ｂ  裏面
３  水糸
３００  環
Ａ  Ｃチャン
Ａａ  空間
Ａｂ  立上部
Ａ１  Ｃチャン
Ａ２  板材
Ａ２ａ  前側
Ｈ１〜Ｈ３  人
Ｒ  道路
Ｒ１  一方
Ｒ２  中心
Ｒ３  他方
ＧＬ１  施工路面
【図１】
2020169480.tif 000003
【図２】
2020169480.tif 000004
【図３】
2020169480.tif 000005
【図４】
2020169480.tif 000006
【図５】
2020169480.tif 000007
【図６】
2020169480.tif 000008
【図７】
2020169480.tif 000009
【図８】
2020169480.tif 000010
【図９】
2020169480.tif 000011
【図１０−１】
2020169480.tif 000012
【図１０−２】
2020169480.tif 000013
【図１１−１】
2020169480.tif 000014
【図１１−２】
2020169480.tif 000015
【図１１−３】
2020169480.tif 000016
【図１１−４】
2020169480.tif 000017
【図１２−１】
2020169480.tif 000018
【図１２−２】
2020169480.tif 000019
【図１３】
2020169480.tif 000020
【図１４−１】
2020169480.tif 000021
【図１４−２】
2020169480.tif 000022
【図１４−３】
2020169480.tif 000023
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
スタッフを立設できる支持台は、このスタッフを受入れる受け部を形成するとともに、この受け部の後側に庇部を形成し、この庇部に、その外側から中心に向かってゴム製の水糸を張装、かつ取付けできる対の係止手段を形成し、この対の係止手段は、同じ高さ位置に形成し、前記水糸を、前記支持台に立設したスタッフのスケール面に添接し、この添接後に前記対の係止手段の何れか一つに係止し、前記水糸を、所定の水平位置に取付け可能としたスタッフ用支持台の構造。
【請求項２】
スタッフを立設できる支持台は、このスタッフを受入れる受け部を形成するとともに、この受け部の後側に突出形成した、ゴム製の水糸を張装、かつ取付けできる係止手段を形成し、前記水糸を、前記支持台に立設したスタッフのスケール面に添接し、この添接後に前記係止手段に係止し、前記水糸を、所定の水平位置に係止可能としたスタッフ用支持台の構造。
【請求項３】
前記係止手段は、導入部と、この導入部に続く掛止部で構成されている請求項１、又は請求項２に記載のスタッフ用支持台の構造。
【請求項４】
前記係止手段は、前記水糸が張装状態で係止できるように、前記掛止部が前記導入部より、大きな孔径である請求項３に記載のスタッフ用支持台の構造。
【請求項５】
前記支持台は、少なくとも、三人使用の三本の第１〜第３スタッフの端の前記第３のスタッフを立設するものであって、かつ前記水糸の終端を止めるためのものである請求項１、又は請求項２に記載のスタッフ用支持台の構造。
【請求項６】
請求項１又は２のスタッフ用支持台の構造を利用した水糸の張装方法であって、道路設置用、又はブロック施工用、或いは庭施工用の何れかの工事において、
一方の端に、第１の人手により、立設した第１スタッフに、ゴム製の水糸を捲装、又は結び目を係止し、この水糸を中間に、第２の人手により、立設した第２スタッフに添接し、他方の端に、第３の人手により、及び／又は、自立により、立設した第３スタッフを、前記支持台にセットし、かつ前記水糸を張装する際に、第３の人手を介して、前記支持台に備えた係止手段に差込み係止し、前記何れかの工事において、水糸の張装を確保することを特徴とするスタッフ用支持台を利用した水糸の張装方法。
【請求項７】
請求項３のスタッフ用支持台の構造を利用した水糸の張装方法であって、前記係止手段は、前記水糸が張装状態で係止できるように、前記掛止部が前記導入部より、大きな孔径である請求項６に記載のスタッフ用支持台を利用した水糸の張装方法。
【手続補正２】
【補正対象書類名】明細書
【補正対象項目名】０００３
【補正方法】変更
【補正の内容】
【０００３】
この器具を有効利用し、簡易にする方法は、例えば、図面の図１４−１〜図１４−３に示した一例がある。即ち、道路設置用（道路用）の工事において、第１の人が、第１スタッフを保持し、これを道路の一方の端に立設し、かつ水糸の環（輪っか）を、第１スタッフの上から被嵌（輪投げのように）係止する。この際に、第１の人は、この第１スタッフを保持し、併せて、スタッフの表面スケール数値に水糸を保持する。次に、第２の人は、同じように、第２スタッフを保持し、かつこれを道路の中央に立設する。この第２の人は、この第２スタッフを保持し、併せて、スタッフの表面スケール数値に、第１スタッフから延長した水糸を添接する（被嵌も有り得る）。そして、第３の人は、道路の他方の端に第３スタッフを立設し、かつ道路の端に立設した杭（釘針杭）に、第２スタッフから延長した水糸の環（一個又は複数個）、或いは水糸の端を、杭の丁張りと杭の隙間に差込み支持する（被嵌も有り得る）。この差込み支持の際に、図１４−２の如く、第３の人が、水糸を手に二重捲きし、かつ緊張した状態で保持し、水糸を係止するために、通常は、差込み支持する。この差込みは、図１４−２・図１４−３の如く、丁張りの隙間を探し、この隙間に水糸を差込み支持する。図１４−２・図１４−３のようになるが、この差込み等の作業は手に負担をかけることと、作業環境が劣悪の際には、更に厄介なことであって、解決すべき問題である。
【手続補正３】
【補正対象書類名】明細書
【補正対象項目名】００１３
【補正方法】変更
【補正の内容】
【００１３】
請求項１の発明は、スタッフを立設できる支持台は、スタッフを受入れる受け部を形成するとともに、受け部の後側に庇部を形成し、庇部に、外側から中心に向かってゴム製の水糸を張装、かつ取付けできる対の係止手段を形成し、対の係止手段は、同じ高さ位置に形成し、水糸を、支持台に立設したスタッフのスケール面に添接し、添接後に対の係止手段の何れか一つに係止し、水糸を、所定の水平位置に取付け可能としたスタッフ用支持台の構造である。
【手続補正４】
【補正対象書類名】明細書
【補正対象項目名】００１４
【補正方法】変更
【補正の内容】
【００１４】
請求項２の発明は、スタッフを立設できる支持台は、スタッフを受入れる受け部を形成するとともに、受け部の後側に突出形成した、ゴム製の水糸を張装、かつ取付けできる係止手段を形成し、水糸を、支持台に立設したスタッフのスケール面に添接し、添接後に係止手段に係止し、水糸を、所定の水平位置に係止可能としたスタッフ用支持台の構造である。
【手続補正５】
【補正対象書類名】明細書
【補正対象項目名】００２２
【補正方法】変更
【補正の内容】
【００２２】
請求項６の発明は、請求項１又は２のスタッフ用支持台の構造を利用した水糸の張装方法であって、道路設置用、又はブロック施工用、或いは庭施工用の何れかの工事において、
一方の端に、第１の人手により、立設した第１スタッフに、ゴム製の水糸を捲装し、又は結び目を係止し、水糸を中間に、第２の人手により、立設した第２スタッフに添接し、他方の端に、第３の人手により、及び／又は、自立により、立設した第３スタッフを、支持台にセットし、かつ水糸を張装する際に、第３の人手を介して、支持台に備えた係止手段に差込み係止し、何れかの工事において、水糸の張装を確保することを特徴とするスタッフ用支持台を利用した水糸の張装方法である。
【手続補正６】
【補正対象書類名】明細書
【補正対象項目名】００２４
【補正方法】変更
【補正の内容】
【００２４】
請求項７の発明は、請求項３のスタッフ用支持台の構造を利用した水糸の張装方法であって、係止手段は、水糸が張装状態で係止できるように、掛止部が導入部より、大きな孔径である請求項６に記載のスタッフ用支持台を利用した水糸の張装方法である。
【手続補正７】
【補正対象書類名】明細書
【補正対象項目名】００２６
【補正方法】変更
【補正の内容】
【００２６】
【図１】支持台の正面俯瞰図
【図２】支持台の背面俯瞰図
【図３】支持台に何れかのスタッフを挿入した状態の要部の正面俯瞰図
【図４】支持台に何れかのスタッフを挿入した状態の要部の背面俯瞰図
【図５】支持台に第３スタッフを挿入し、水糸が、第３スタッフの裏面に添接し、かつ係止手段に係止された状態の正面俯瞰図
【図６】支持台に第３スタッフを挿入し、水糸が、第３スタッフの裏面に添接し、かつ係止手段に係止された状態の背面俯瞰図
【図７】（イ）〜（二）は、庇部に形成した係止手段の好ましい、各例を説明した模式図
【図８】他の支持台の正面俯瞰図であり、（イ）は、支持台に直付けした係止手段、（ロ）は、支持台に直付けした他の係止手段、（ハ）は、支持台に着脱自在に設けた別の係止手段
【図９】図８の支持台に係止手段を取付けた側面図であり、（イ）は、支持台に磁石で取付けた係止手段、（ロ）は、支持台に止め具（ビス）で取付けた他の係止手段、（ハ）は、支持台に差込み式で取付けた別の係止手段
【図１０−１】水糸の一端に支持台を設けた場合の、支持台と、水糸、及び複数のスタッフ・人の関係を示した縮尺俯瞰図
【図１０−２】水糸の両端に支持台を設けた場合の、支持台と、水糸、及び複数のスタッフ・人の関係を示した縮尺俯瞰図
【図１１−１】道路工事においてスタッフを利用して施工する状態の模式図であり、砂利を施工する寸法の確認作業
【図１１−２】道路工事においてスタッフを利用して施工する状態の模式図であり、砂利の施工の良否を確認する作業
【図１１−３】道路工事においてスタッフを利用して施工する状態の模式図であり、アスファルトを施工する寸法の確認作業
【図１１−４】道路工事においてスタッフを利用して施工する状態の模式図であり、アスファルトの施工の良否を確認する作業
【図１２−１】スタッフを利用して仮寸法を確定する状況の説明図であり、道路の傾斜を測定しており、側溝である
【図１２−２】スタッフを利用して仮寸法を確定する状況の説明図であり、道路の傾斜を測定しており、中央である
【図１３】支持台の別の一例を示した正面俯瞰図
【図１４−１】従来の丁張りと、水糸、及び複数のスタッフ・人の関係を示した縮尺俯瞰図
【図１４−２】図１４−１に示した丁張りと、水糸の関係を示した要部の正面俯瞰図
【図１４−３】図１４−２の裏面俯瞰図
【手続補正８】
【補正対象書類名】明細書
【補正対象項目名】００３４
【補正方法】変更
【補正の内容】
【００３４】
前述したように、第１工程〜第３工程を終了し、第１のスタッフ〜第３のスタッフの数値に、水糸３が添接されていれば、終了であり、記録ボードを立設して記録する（例えば、写真で記録し、保存する）。前記所作で、水糸３が水平に張装されていない場合、及び／又は、それぞれの数値に違い等があれば、施工路面ＧＬ１が平坦でないことから、修理が必要となる。